(57)【要約】【課題】部屋側から自発的に在／不在情報を通知できる電話機、電話機の制御方法及びプログラム並びにこれらを使用した在／不在確認システムを提供する。【解決手段】人の在／不在の判定動作の前に、部屋に人が不在であることを検出するための照度値である不在照度閾値を設定し、その後、管理センターから無線通信等により撮像指示が送信されると、制御部１０が撮像部１２に指示を出し、人の在／不在を判定する対象である部屋の内部の光量を取得させる。また、制御部１０は、上記光量を解析し、照度値を演算する。制御部１０は、上記照度値を不在照度閾値と比較し、上記照度値が不在照度閾値以下の場合に、管理センターに不在通知を行う。【選択図】図１
2007142898.tif 000002
【特許請求の範囲】
【請求項１】
撮像機能を備えた電話機であって、
前記撮像機能を使用して照度を測定する照度測定手段と、
前記照度測定手段により測定された照度値が所定の閾値以上であるか否かを比較する照度値比較手段と、
前記照度値比較手段の比較結果に基づき人の在／不在を判定する在／不在判定手段と、
前記在／不在判定手段の判定結果に基づいて、人の在／不在情報を通知する通知手段と、
を備えることを特徴とする電話機。
【請求項２】
請求項１記載の電話機において、前記照度測定手段は、前記撮像機能によって照度測定を複数回行い、前記在／不在判定手段は、前記複数の照度測定結果から求めた照度値の平均値に基づいて人の在／不在を判定することを特徴とする電話機。
【請求項３】
請求項１または請求項２記載の電話機において、前記撮像機能を使用して所定時間毎に照度が測定されることを特徴とする電話機。
【請求項４】
請求項１から請求項３のいずれか一項記載の電話機において、前記通知手段は、前記照度値が所定の閾値よりも高い値から低い値に変化したときまたは低い値から高い値に変化したときに人の在／不在情報を通知することを特徴とする電話機。
【請求項５】
請求項１または請求項２記載の電話機において、第三者からの指示に応じて照度が測定されることを特徴とする電話機。
【請求項６】
請求項５記載の電話機において、前記第三者は管理センターであることを特徴とする電話機。
【請求項７】
請求項１、請求項３または請求項５記載の電話機は、さらに前記撮像機能の撮像方向を所定の回転軸を中心として回転させる撮像方向回転手段を備え、前記照度測定手段による照度測定値が前記所定の閾値より低いときに前記撮像方向を所定角度回転させ、前記在／不在判定手段は、前記撮像方向が一回転する間、常に前記照度測定値が前記所定の閾値より低い場合に不在であると判定することを特徴とする電話機。
【請求項８】
請求項１から請求項７のいずれか一項記載の電話機において、前記通知手段は電子メールであることを特徴とする電話機。
【請求項９】
請求項１から請求項８のいずれか一項記載の電話機において、前記通知手段は、不在情報のみを管理センターに通知することを特徴とする電話機。
【請求項１０】
請求項１から請求項９のいずれか一項記載の電話機を使用した在／不在管理システムであって、前記通知手段は所定のサーバに在／不在情報を通知し、前記サーバは前記管理センターの表示手段に、部屋毎の在／不在情報を表示することを特徴とする在／不在確認システム。
【請求項１１】
撮像機能を備えた電話機の制御方法であって、
前記撮像機能により撮像した画像データから照度を測定するステップと、
前記測定された照度値が所定の閾値以上であるか否かを比較するステップと、
前記照度値の比較結果に基づき人の在／不在を判定するステップと、
前記在／不在の判定結果に基づいて、人の在／不在情報を管理センターに通知するステップと、
を備えることを特徴とする電話機の制御方法。
【請求項１２】
撮像機能を備えた電話機の制御プログラムであって、
前記撮像機能により撮像した画像データから照度を測定し、
前記測定された照度値が所定の閾値以上であるか否かを比較し、
前記照度値の比較結果に基づき人の在／不在を判定し、
前記在／不在の判定結果に基づいて、人の在／不在情報を管理センターに通知する処理をコンピュータに実行させることを特徴とする制御プログラム。
【発明の詳細な説明】
【技術分野】
【０００１】
本発明は、部屋の中における人の在／不在を確認する機能を有する電話機、電話機の制御方法及びプログラム並びにこれらを使用した在／不在確認システムに関する。
【背景技術】
【０００２】
会議室等の部屋の使用効率を向上させ、各部屋の管理を適切に行うためには、各部屋が使用中であるか否かを管理センターが把握しておく必要がある。このために、例えば下記特許文献１には、電話機周囲の照度を検出し、呼出があったときの照度が所定のレベル以下の場合に不在メッセージを送出する電話機が開示されている。
【特許文献１】特開平５−６３７８６号公報
【発明の開示】
【発明が解決しようとする課題】
【０００３】
しかし、上記従来の技術においては、呼出があったときの照度が所定のレベル以下か否かを判定し、不在メッセージを送出する構成であるので、部屋側からの起動で管理センター等に通知することができないという問題があった。
【０００４】
本発明は、上記従来の課題に鑑みなされたものであり、その目的の一つは、部屋側から自発的に在／不在情報を通知できる電話機、電話機の制御方法及びプログラム並びにこれらを使用した在／不在確認システムを提供することにある。
【課題を解決するための手段】
【０００５】
上記目的を達成するために、本発明は、撮像機能を備えた電話機であって、前記撮像機能を使用して照度を測定する照度測定手段と、前記照度測定手段により測定された照度値が所定の閾値以上であるか否かを比較する照度値比較手段と、前記照度値比較手段の比較結果に基づき人の在／不在を判定する在／不在判定手段と、前記在／不在判定手段の判定結果に基づいて、人の在／不在情報を通知する通知手段と、を備えることを特徴とする。
【０００６】
上記構成によれば、照度値と所定の閾値とを比較して人の在／不在を判定し、その判定結果を通知手段により管理センターに通知するので、部屋側から自発的に人の在／不在情報を通知することができる。
【０００７】
また、上記照度測定手段は、前記撮像機能によって照度測定を複数回行い、前記在／不在判定手段は、前記複数の照度測定結果から求めた照度値の平均値に基づいて人の在／不在を判定するのが好適である。
【０００８】
また、上記電話機は、前記撮像機能を使用して所定時間毎に照度が測定されるのが好適である。
【０００９】
また、上記通知手段は、前記照度値が所定の閾値よりも高い値から低い値に変化したときまたは低い値から高い値に変化したときに人の在／不在情報を通知するのが好適である。
【００１０】
また、上記電話機において、第三者からの指示に応じて照度が測定されてもよく、この第三者は管理センターであることが好適である。
【００１１】
また、上記電話機は、さらに前記撮像機能の撮像方向を所定の回転軸を中心として回転させる撮像方向回転手段を備え、前記照度測定手段による照度測定値が前記所定の閾値より低いときに前記撮像方向を所定角度回転させ、前記在／不在判定手段は、前記撮像方向が一回転する間、常に前記照度測定値が前記所定の閾値より低い場合に不在であると判定することを特徴とする。
【００１２】
また、上記通知手段は電子メールであるのが好適であり、また、不在情報のみを管理センターに通知することとしてもよい。
【００１３】
また、本発明は、上記電話機を使用した在／不在管理システムであって、前記通知手段は所定のサーバに在／不在情報を通知し、前記サーバは前記管理センターの表示手段に、部屋毎の在／不在情報を表示することを特徴とする。
【００１４】
また、本発明は、撮像機能を備えた電話機の制御方法であって、前記撮像機能により撮像した画像データから照度を測定するステップと、前記測定された照度値が所定の閾値以上であるか否かを比較するステップと、前記照度値の比較結果に基づき人の在／不在を判定するステップと、前記在／不在の判定結果に基づいて、人の在／不在情報を管理センターに通知するステップと、を備えることを特徴とする。
【００１５】
また、本発明は、撮像機能を備えた電話機の制御プログラムであって、前記撮像機能により撮像した画像データから照度を測定し、前記測定された照度値が所定の閾値以上であるか否かを比較し、前記照度値の比較結果に基づき人の在／不在を判定し、前記在／不在の判定結果に基づいて、人の在／不在情報を管理センターに通知する処理をコンピュータに実行させることを特徴とする。
【発明を実施するための最良の形態】
【００１６】
以下、本発明を実施するための最良の形態（以下、実施形態という）を、図面に従って説明する。
【００１７】
図１には、本発明にかかる電話機の構成例のブロック図が示される。図１において、電話機は、制御部１０、撮像部１２、操作部１６、記憶部１８、通信部２０及びタイマー部２２を含んで構成されている。
【００１８】
制御部１０は、ＣＰＵ（中央処理装置）を含んで構成され、撮像部１２、操作部１６、記憶部１８、通信部２０及びタイマー部２２とデータのやり取りを行いながらこれらの動作を制御する。また、撮像部１２が取得した光量から電話機周囲の照度値を演算し、当該照度値に基づいて、部屋の中における人の在／不在の判定を実行する。
【００１９】
撮像部１２は、カメラ機能を備え、電話機周囲の状況を撮影して画像データを生成する。また、電話機周囲の光量を取得する機能も備えている。
【００２０】
操作部１６は、例えば電話機の操作ボタン等により構成される。なお、操作ボタンは、主として数値データ及び文字データを入力するためのテンキーと、各種機能の実行指示を入力するための機能キーとにより構成されている。
【００２１】
記憶部１８は、例えばＣＰＵ１０の作業用のＲＡＭ、不揮発性メモリとしてのフラッシュメモリ、磁気記憶媒体等で構成されており、制御部１０が算出した照度値と比較して、部屋が使用中であるか否か、すなわち人の在／不在を判定するための閾値等の各種データ及びＣＰＵの動作プログラムが記憶されている。
【００２２】
通信部２０は、公知の方法により基地局と通信して携帯通信端末としての通話機能を実現している。
【００２３】
タイマー部２２は、公知の方法により時刻情報を発生する。
【００２４】
図２には、図１に示された構成を含む電話機を設置する設置台の例が示される。図２において、電話機２４は、設置台２６の凹所２８に保持されている。設置台２６は、撮像方向回転部３０により電話機２４と共に回転される。これにより、電話機２４に設けられたカメラ機能を構成する撮像用レンズ３２の撮像方向が回転され、部屋の複数の方向における撮像が可能となる。
【００２５】
上記撮像方向回転部３０は、制御部１０から制御信号を受け取り、この制御信号で指示された回転角度だけ設置台２６を回転させる。なお、上記制御信号は、専用の端子等の適宜な手段により電話機２４から撮像方向回転部３０に入力される。
【００２６】
図３には、図１に示された構成を含む電話機を使用した在／不在確認システムの構成例が示される。図３において、電話機２４の制御部１０が生成した在／不在情報は、無線通信等により管理センターに設置されたサーバ３４に通知される。サーバ３４は、在／不在情報を受け取ると、管理センターに設置された、表示手段として機能するコンピュータ３６のディスプレイ等に部屋毎の在／不在情報を表示する。なお、表示手段としては、必ずしもコンピュータ３６である必要はなく、サーバ３４により駆動されるディスプレイであれば特に限定されない。
【００２７】
この構成により、各部屋から離隔した管理センターにおいて、全ての部屋の在／不在情報を簡易に把握することができる。なお、電話機２４はサーバ３４に不在情報のみ通知し、サーバ３４は表示手段に不在情報のみを表示するように構成してもよい。
【００２８】
図４には、本発明にかかる電話機の動作例のフロー図が示される。図４において、人の在／不在の判定動作の前に、部屋に人が不在であることを検出するための照度値である不在照度閾値を設定する（Ｓ１）。この不在照度閾値の設定は、以下の手順により実行される。まず、部屋に人が不在のときに、ユーザが操作部１６から光量取得の指示を入力すると、制御部１０が撮像部１２に人の在／不在を判定する対象である部屋の内部の内部の光量を取得させる。なお、この光量取得の指示は、所定の管理センター等の第三者から無線通信等により送信してもよい。上記取得した光量を制御部１０が解析し、照度値を演算する。次に、制御部１０が、上記演算した照度値を不在照度閾値として記憶部１８に記憶させる。これにより、不在照度閾値の設定が行われる。
【００２９】
上記不在照度閾値の設定が完了すると、人の在／不在の判定動作に移行する。管理センターから無線通信等により光量取得の指示が送信されると（Ｓ２）、制御部１０が撮像部１２に指示を出し、人の在／不在を判定する対象である部屋の内部の光量を取得する（Ｓ３）。
【００３０】
制御部１０は、上記光量を解析し、照度値を演算する（Ｓ４）。
【００３１】
次に、制御部１０は、上記算出した照度値を、記憶部１８に記憶している上記不在照度閾値と比較する（Ｓ５）。上記照度値が不在照度閾値以下の場合は、部屋の中が暗いことを示しており、部屋の中に人が不在であって、部屋が不使用状態であると判定できる。従って、制御部１０は、通信部２０を介して所定の管理センターに不在通知を行う（Ｓ６）。この不在通知は、判定対象である部屋に人が不在であることを通知するものであり、電子メール等により送信される。また、不在通知には、撮像部１２が撮像した画像データを添付してもよい。
【００３２】
なお、上記Ｓ５において、照度値が不在照度閾値より大きい場合には、部屋の証明が点灯され、あるいはコンピュータのディスプレイが作動中等の状況であり、部屋が使用中であると判定されるので、不在通知は行わずに処理を終了する。この場合、撮像部１２が撮像した画像データを管理センターに送信してもよい。
【００３３】
また、上記通知動作は、照度値が不在照度閾値よりも高い値から低い値に変化したときまたは低い値から高い値に変化したときに実行してもよい。すなわち、部屋の電源のオン／オフ動作またはオフ／オン動作を行ったときには、照度値が不在照度閾値よりも高い値から低い値にまたは低い値から高い値に変化するので、このタイミングで上記通知動作を行う。このタイミングは、例えば照度値が不在照度閾値よりも高い値から低い値に変化したときまたは低い値から高い値に変化したときに割込みを発生させることにより制御部１０のＣＰＵに通知する。これにより、対象となっている部屋における人の在／不在の状態が変わったときに通知を行うことができ、状態が変わっていないときに無駄に行われる通知を減らすことができる。なお、この場合の通知には、上記不在通知のみならず人が在室している旨の通知も含めるのが好適である。
【００３４】
以上により、所定の部屋の中における人の在／不在を判定し、部屋側から自発的に在／不在情報を通知することができる。
【００３５】
図５には、本発明にかかる電話機の他の動作例のフロー図が示される。図５において、人の在／不在の判定動作の前に、部屋に人が不在であることを検出するための照度値である不在照度閾値を設定する（Ｓ１１）。なお、不在照度閾値の設定手順は、図４のＳ１の場合と同様であるので、説明を省略する。
【００３６】
上記不在照度閾値の設定が完了すると、人の在／不在の判定動作に移行する。制御部１０がタイマー部２２から受け取る時刻情報に基づき、人の在／不在の検出時刻になったと判断した場合に（Ｓ１２）、制御部１０は撮像部１２に指示を出し、人の在／不在を判定する対象である部屋の内部の光量を取得する（Ｓ１３）。
【００３７】
制御部１０は、上記光量を解析し、照度値を演算する（Ｓ１４）。制御部１０は、この照度値の取得回数が、取得した照度値の平均値を算出するために予め設定された回数に到達したか否かを判定し（Ｓ１５）、設定回数になるまで、Ｓ１２からＳ１５のステップを繰り返す。なお、上記設定回数は、予め記憶部１８に格納しておく。
【００３８】
Ｓ１５において、照度値の取得回数が上記設定回数に到達すると、制御部１０が取得した複数の照度値の平均値を算出する（Ｓ１６）。
【００３９】
次に、制御部１０は、上記照度値の平均値を、記憶部１８に記憶している上記不在照度閾値と比較する（Ｓ１７）。上記照度値の平均値が不在照度閾値以下の場合は、部屋の中が暗いことを示しており、部屋の中に人が不在であって、部屋が不使用状態であると判定できる。従って、制御部１０は、通信部２０を介して所定の管理センターに不在通知を行う（Ｓ１８）。また、不在通知には、撮像部１２が撮像した画像データを添付してもよい。
【００４０】
なお、上記Ｓ１７において、照度値が不在照度閾値より大きい場合には、部屋の証明が点灯され、あるいはコンピュータのディスプレイが作動中等の状況であり、部屋が使用中であると判定されるので、不在通知は行わない。この場合、撮像部１２が撮像した画像データを管理センターに送信してもよい。
【００４１】
なお、上記通知動作も、照度値が不在照度閾値よりも高い値から低い値に変化したときまたは低い値から高い値に変化したときに実行してもよい。
【００４２】
この後、制御部１０は、照度値の取得回数を０にリセットし（Ｓ１９）、Ｓ１２からのステップを繰り返す。
【００４３】
以上により、所定の部屋の中における人の在／不在を判定し、部屋側から自発的に在／不在情報を通知することができる。
【００４４】
図６には、本発明にかかる電話機のさらに他の動作例のフロー図が示される。なお、図６のフローは、図１及び図２に示された構成が前提となっている。図６において、人の在／不在の判定動作の前に、部屋に人が不在であることを検出するための照度値である不在照度閾値を設定する（Ｓ２１）。なお、不在照度閾値の設定手順は、図４のＳ１の場合と同様であるので、説明を省略する。
【００４５】
上記不在照度閾値の設定が完了すると、人の在／不在の判定動作に移行する。制御部１０がタイマー部２２から受け取る時刻情報に基づき、人の在／不在の検出時刻になったと判断した場合に（Ｓ２２）、制御部１０は撮像部１２に指示を出し、人の在／不在を判定する対象である部屋の内部の光量を取得する（Ｓ２３）。なお、制御部１０は、検出開始時刻ではなく、管理センターからの指示に基づいて撮像部１２へ撮像指示を出力する構成としてもよい。
【００４６】
制御部１０は、上記光量を解析し、照度値を演算する（Ｓ２４）。次に、制御部１０は、上記照度値を、記憶部１８に記憶している上記不在照度閾値と比較する（Ｓ２５）。
【００４７】
上記照度値が不在照度閾値以下の場合は、制御部１０が図２に示した撮像方向回転部３０に指示を出し、予め設定された角度だけ設置台２６を回転させ、電話機２４に設けられた撮像用レンズ３２の撮像方向を回転させる（Ｓ２６）。なお、上記回転角度は、予め記憶部１８に格納しておく。
【００４８】
制御部１０は、上記撮像方向の回転角度の合計が、３６０度（一回転）以上となったか否かを判定し（Ｓ２７）、３６０度未満の場合には、Ｓ２３からのステップを繰り返して、部屋の内部の撮影、照度の測定及び照度値と不在照度閾値との比較を行う。
【００４９】
Ｓ２７において、撮像方向の回転角度の合計が３６０度以上となった場合は、撮像方向が一回転する間、常に照度値が上記不在照度閾値より低かったことを意味しており、部屋の中が暗いことを示している。これにより、部屋の中に人が不在であって、部屋が不使用状態であると判定できる。従って、制御部１０は、通信部２０を介して所定の管理センターに不在通知を行う（Ｓ２８）。また、不在通知には、撮像部１２が撮像した画像データを添付してもよい。
【００５０】
なお、Ｓ２５において、照度値が不在照度閾値より大きい場合には、部屋の証明が点灯され、あるいはコンピュータのディスプレイが作動中等の状況であり、部屋が使用中であると判定されるので、不在通知はせずに処理を終了する。この場合、撮像部１２が撮像した画像データを管理センターに送信してもよい。
【００５１】
以上により、所定の部屋の中における人の在／不在を判定し、部屋側から自発的に在／不在情報を通知することができる。
【図面の簡単な説明】
【００５２】
【図１】本発明にかかる電話機の構成例のブロック図である。
【図２】図１に示された構成を含む電話機を設置する設置台の例を示す図である。
【図３】図１に示された構成を含む電話機を使用した在／不在確認システムの構成例を示す図である。
【図４】本発明にかかる電話機の動作例のフロー図である。
【図５】本発明にかかる電話機の他の動作例のフロー図である。
【図６】本発明にかかる電話機のさらに他の動作例のフロー図である。
【符号の説明】
【００５３】
１０  制御部、１２  撮像部、１６  操作部、１８  記憶部、２０  通信部、２２  タイマー部、２４  電話機、２６  設置台、２８  凹所、３０  撮像方向回転部、３２  撮像用レンズ、３４  サーバ、３６  コンピュータ。
【図１】
2007142898.tif 000003
【図２】
2007142898.tif 000004
【図３】
2007142898.tif 000005
【図４】
2007142898.tif 000006
【図５】
2007142898.tif 000007
【図６】
2007142898.tif 000008